(57)【特許請求の範囲】
【請求項１】
ネットワークに接続されている複数の機器を検知する機器検知手段と、
前記機器検知手段で検知された前記複数の機器のうち１つの機器を使用者が選択するためのメニュー画面を表示する表示手段と、
使用者が所有する携帯端末を前記複数の機器のうち１つの機器と接続すべく、前記携帯端末が前記表示手段に表示されている前記メニュー画面上のいずれの位置に載置されたかを検知する、前記表示手段の上に配置された載置位置検知手段と、
前記携帯端末に記憶されたデータを前記複数の機器のうち１つの機器に対して出力すべく、前記携帯端末を無線で遠隔操作する無線遠隔操作手段と、
を備えた携帯端末用制御装置。
【請求項２】
前記携帯端末に記憶された前記複数の機器で活用可能なデータタイプが異なるデータのデータタイプと前記載置位置検知手段による検知結果に応じて選択された前記１つの機器とを関連付けるデータタイプ関連付け手段を備え、前記表示手段は、前記データタイプ関連付け手段で関連付けられた前記データタイプのデータのうち１つのデータを使用者が選択するためのメニュー画面を表示する請求項１に記載の携帯端末用制御装置。
【請求項３】
前記機器検知手段は、無線送受信手段を含む請求項１又は請求項２に記載の携帯端末用制御装置。
【請求項４】
自己の識別情報が記憶された無線通信用タグを有する前記携帯端末に対して、前記無線通信用タグに記憶された自己の識別情報を読み取ることにより前記携帯端末を認証する無線通信用リーダを備えた請求項１乃至請求項３のいずれか一項に記載の携帯端末用制御装置。
【請求項５】
前記ネットワークに接続されている複数の機器は、スピーカ、テレビ、ハードディスクレコーダ及びパーソナルコンピュータを含む請求項１乃至請求項４のいずれか一項に記載の携帯端末用制御装置。
【請求項６】
前記データタイプは、電話帳、静止画、動画、音声、録音メッセージ及びボイスレコーダを含む請求項２乃至請求項５のいずれか一項に記載の携帯端末用制御装置。
【発明の詳細な説明】
【技術分野】
【０００１】
本発明は、携帯端末を用いてスピーカ、テレビ、ハードディスクレコーダ及びパーソナルコンピュータ等の各種機器を利用できるネットワークワークシステムの構築に用いて好適な携帯端末用制御装置に関する。
【背景技術】
【０００２】
従来、携帯端末から音声信号を出力するとともに、携帯端末の充電台で携帯端末からの音声信号を増幅してスピーカから出力する技術が提案されている。特許文献１には、内蔵又は外付けの記録媒体に記録された音声信号を外部へ出力する出力部を有する携帯端末と、この携帯端末に充電用の電力を供給する充電部及び該携帯端末から出力された音声信号を取り込む入力部を有する充電台が開示されている。
【０００３】
また、特許文献２には、各種施設に設けられた情報掲示板が管理センタのサーバを介してインターネットに接続されたシステムにおいて、非接触ＩＣカードに個人情報を記憶させた会員カードを利用者にそれぞれ発行し、各情報掲示板が、利用者の提示した会員カードから発信される個人情報をＲ／Ｗアンテナで読み取り、その個人情報を基に利用者に関連する情報を判別し、サーバを介してネットワークにアクセスして利用者に関連する情報のみを収集し、収集した該情報を表示部に表示し、利用者は、表示部の表示情報を確認し、入力部を介して情報の検索やメッセージ等の発信を行うシステムが開示されている。
【０００４】
【特許文献１】特開２００２−２６１８９３号公報
【特許文献２】特開２０００−９９４５９号公報
【発明の開示】
【発明が解決しようとする課題】
【０００５】
ところで、特許文献１で開示された先行技術では、携帯端末に内蔵又は外付けの記録媒体に記録された音声信号を充電台で増幅してスピーカから出力させるだけであり、携帯端末を充電台にセットすることで携帯端末内の音声信号を外部スピーカで再生する準備はできるものの、充電台にセットした後の複雑な操作が必要であることが想定される。また、特許文献２で開示された先行技術では、情報掲示板において、利用者が非接触ＩＣカードをＲ／Ｗアンテナにかざすことにより、インターネット上の利用者に関する情報が収集され、収集された情報が情報掲示板の表示部に表示されるものであり、例えば、スピーカ、テレビ、ハードディスクレコーダ及びパーソナルコンピュータ等の機器を利用するための、それぞれの機器で活用可能なデータタイプが異なるデータを表示部に表示するものではない。昨今は携帯端末が多機能化し、携帯端末にはカメラで撮影して得られた画像データやメールにより受信した画像データ、インターネットからダウンロードした音楽データ、テレビ放送の動画データなどが保存されるようになってきたが、携帯端末に保存されている著作権フリーの静止画データ、動画データ、音楽データなどは、一旦パーソナルコンピュータへデータ転送を行えばパーソナルコンピュータ上で再生することができるものの、各データに対応したアプリケーションを立ち上げて再生する必要があり、携帯端末内に保存されているデータをパーソナルコンピュータで再生するには複雑な操作が必要であった。
【０００６】
また、携帯端末に接続可能な外部メモリに静止画データ、動画データ、音楽データなどが保存されている場合には、それぞれに対応した外部機器（スピーカ、テレビ、ハードディスクレコーダ、パーソナルコンピュータ等）へ外部メモリを挿入すれば再生は可能であるが、使用者が外部メモリの抜き差しや各種外部機器の操作を行う必要があり、容易に再生することができなかった。さらに、携帯型デジタルオーディオプレーヤに対応したスピーカシステムも存在するが、音楽データのみが保存されているプレーヤに対して、音楽データを再生するスピーカシステムが存在するだけであり、あくまでも１対１の関係である。多機能化した携帯端末においては、さまざまな種類のデータが保存されているが、使用者はそれらを外部機器を利用して再生したくても上述のように一旦パーソナルコンピュータへデータ転送を行うなど複雑な操作が必要であった。
【０００７】
本発明は、係る事情に鑑みてなされたものであり、携帯端末内の各種データを一旦パーソナルコンピュータへ転送することなく、外部メモリを使用したとしても、外部機器を利用して簡単な操作で容易にデータを再生することができる携帯端末用制御装置を提供することを目的とする。
【課題を解決するための手段】
【０００８】
本発明の携帯端末用制御装置は、ネットワークに接続されている複数の機器を検知する機器検知手段と、前記機器検知手段で検知された前記複数の機器のうち１つの機器を使用者が選択するためのメニュー画面を表示する表示手段と、使用者が所有する携帯端末を前記複数の機器のうち１つの機器と接続すべく、前記携帯端末が前記表示手段に表示されている前記メニュー画面上のいずれの位置に載置されたかを検知する、前記表示手段の上に配置された載置位置検知手段と、前記携帯端末に記憶されたデータを前記複数の機器のうち１つの機器に対して出力すべく、前記携帯端末を無線で遠隔操作する無線遠隔操作手段と、を備えた。
【０００９】
この構成により、使用者はメニュー画面を確認するだけで、ネットワークに接続されている複数の機器を確認できるとともに、複数の機器のうちの１つの機器を選択することができる。
【００１０】
また、上記構成において、前記携帯端末に記憶された前記複数の機器で活用可能なデータタイプが異なるデータのデータタイプと前記載置位置検知手段による検知結果に応じて選択された前記１つの機器とを関連付けるデータタイプ関連付け手段を備え、前記表示手段は、前記データタイプ関連付け手段で関連付けられた前記データタイプのデータのうち１つのデータを使用者が選択するためのメニュー画面を表示する。
【００１１】
この構成により、使用者は、メニュー画面上で、接続したい機器に対応する部分に携帯端末を載置することで、該機器に関連付けられたデータタイプのデータを確認できるとともに、任意の１つのデータを選択することができる。
【００１２】
また、上記構成において、前記機器検知手段は、無線送受信手段を含む。
【００１３】
この構成により、無線で構築されたネットワークに対して接続することができ、該ネットワーク上で無線接続された複数の機器を検知することができる。
【００１４】
また、上記構成において、自己の識別情報が記憶された無線通信用タグを有する前記携帯端末に対して、前記無線通信用タグに記憶された自己の識別情報を読み取ることにより前記携帯端末を認証する無線通信用リーダを備えた。
【００１５】
この構成により、携帯端末を認証することができ、機器の利用を制限することができる。
【００１６】
また、上記構成において、前記ネットワークに接続されている複数の機器は、スピーカ、テレビ、ハードディスクレコーダ及びパーソナルコンピュータを含む。
【００１７】
また、上記構成において、前記データタイプは、電話帳、静止画、動画、音声、録音メッセージ及びボイスレコーダを含む。例えば、スピーカに関連付けられたデータタイプは、音楽、録音メッセージ、ボイスレコーダである。また、テレビに関連付けられたデータタイプは、静止画、動画である。また、ハードディスクレコーダに関連付けられたデータタイプは、電話帳、静止画、動画、音楽、録音メッセージ、ボイスレコーダである。また、パーソナルコンピュータに関連付けられたデータタイプは、電話帳、静止画、動画、音楽、録音メッセージ、ボイスレコーダである。
【発明の効果】
【００１８】
本発明は、携帯端末用制御装置のメニュー画面の所望エリア上に携帯端末を置くだけで、携帯端末内の各種データを一旦パーソナルコンピュータへ転送することなく、外部メモリを使用したとしても、簡単な操作で所望の機器（スピーカ、テレビ、ハードディスクレコーダ、パーソナルコンピュータ等）と携帯端末との間で容易にデータの転送・再生ができる。
【発明を実施するための最良の形態】
【００１９】
以下、本発明を実施するための好適な実施の形態について、図面を参照して詳細に説明する。
【００２０】
（実施の形態１）
図１は、本発明の実施の形態１に係る携帯端末用制御装置の概観を示す斜視図である。また、図２は本実施の形態の携帯端末用制御装置の概略構成と、携帯端末の概略構成と、本実施の形態の携帯端末用制御装置と無線通信を行うＷｉＦｉ（Wireless Fidelity）無線ルータと、該ＷｉＦｉ無線ルータと無線通信を行う複数のＷｉＦｉネットワーク機器とを示すブロック図である。
【００２１】
図１及び図２において、携帯端末用制御装置１は、表示部１０と、タッチパネル部１１と、ＷｉＦｉ送受信部１３と、ブルートゥース送受信部１４と、記憶部１５と、制御部１６とを備えている。表示部１０はＬＣＤ（Liquid Crystal Display）を有する。表示部１０には、「機器デバイス選択メニュー画面」と「データタイプ選択メニュー画面」が表示される。タッチパネル部１１は、表示部１０上に配置されており、機器デバイス選択メニュー画面で機器の選択と、データタイプ選択メニュー画面でデータタイプの選択に用いられる。タッチパネル部１１には、例えば抵抗感圧式のものが用いられる。
【００２２】
ＷｉＦｉ送受信部１３は、ＩＥＥＥ８０２．１１ｂ／ｇプロトコルに準拠した無線ＬＡＮ技術を用いて無線通信を行うものであり、２．４ＧＨｚ帯の電波を利用し、最大５４Ｍｂｐｓ（ＩＥＥＥ８０２．１１ｂの場合は最大１１Ｍｂｐｓ）の速度で通信を行うことができる。本実施の形態では、ＷｉＦｉ送受信部１３を使用してＷｉＦｉ無線ルータ３にアクセスし、複数のＷｉＦｉネットワーク機器（以下、機器デバイスと呼ぶ）と通信を行う。本実施の形態では、４つの機器デバイス、即ちスピーカ４Ａ、テレビ４Ｂ、ハードディスクレコーダ（以下、ＨＤレコーダと呼ぶ）４Ｃ及びパーソナルコンピュータ（以下、ＰＣと呼ぶ）４Ｄが存在するものとする。
【００２３】
ブルートゥース送受信部１４は、ＩＥＥＥ８０２．１５．１プロトコルに準拠し、数ｍ程度の機器間接続に使用される短距離無線通信技術の１つであり、２．４５ＧＨｚ帯の電波を利用し、１Ｍｂｐｓの速度で通信を行うことができる。本実施の形態では、携帯端末用制御装置１は、ブルートゥース送受信部１４を使用して携帯端末２との間で短距離無線通信を行う。
【００２４】
記憶部１５は、データの書き込み及び読み出し可能なメモリを有し、無線ネットワーク上の機器デバイス４Ａ〜４Ｄを検知するための機器検知プログラムと、ブルートゥース送受信部１３を経由して携帯端末２を遠隔制御するための携帯端末リモート制御プログラムと、機器デバイス４Ａ〜４Ｄとデータタイプを関連付けるための関連付けプログラム等を記憶している。
【００２５】
制御部１６は、ＣＰＵ（Central Processing Unit）を含むものであり、装置各部を制御する。例えば、制御部１６は、記憶部１５に記憶されている機器検知プログラムに従い、無線ネットワーク上に接続されている複数の機器デバイス４Ａ〜４Ｄを検知する。即ち、制御部１６は、例えば装置に電源を投入したときなどに、ＷｉＦｉ送受信部１３を使用してＷｉＦｉ無線ルータ３にアクセスし、無線ネットワークに接続されている複数の機器デバイス４Ａ〜４Ｄを検知する。そして、複数の機器デバイス４Ａ〜４Ｄのうち１つの機器デバイスを使用者が選択するための「機器デバイス選択メニュー画面（メニュー画面）」を表示部１０に表示させる。さらに、制御部１６は、機器デバイス４Ａ〜４Ｄのうち１つの機器デバイスと接続すべく、タッチパネル部１１の入力から、使用者が所有する携帯端末２が表示部１０に表示されている機器デバイス選択メニュー画面上のどこのエリアに載置されたかを検知する。
【００２６】
また、制御部１６は、関連付けプログラムに従い、携帯端末２が機器デバイス選択メニュー画面上の載置されたエリアに応じて、使用者が選択した１つの機器デバイスと携帯端末２の記憶部２４に記憶されているデータのデータタイプを関連付ける。そして、関連付けられたデータタイプのデータのうち、１つのデータを使用者が選択するための「データタイプ選択メニュー画面（メニュー画面）」を表示部１０に表示させる。
【００２７】
ここで、図３は、機器デバイスとデータタイプの関連付けを示す図である。この図に示すように、スピーカ４Ａの場合は、音楽再生、録音メッセージ再生、ボイスレコーダ再生が関連する。テレビ４Ｂの場合は、静止画再生、動画再生が関連する。ＨＤレコーダ４Ｃの場合は、電話帳データ転送、静止画データ転送、動画データ転送、音楽データ転送、録音メッセージデータ転送、ボイスレコーダデータ転送が関連する。ＰＣ４Ｄの場合は、ＨＤレコーダ４Ｃと同様に、電話帳データ転送、静止画データ転送、動画データ転送、音楽データ転送、録音メッセージデータ転送、ボイスレコーダデータ転送が関連する。
【００２８】
また、制御部１６は、記憶部１５に記憶されている携帯端末リモート制御プログラムに従い、携帯端末２を遠隔制御する。例えば、スピーカ４Ａに音楽データや、録音メッセージ及びボイスレコーダの音声データを再生させる。また、テレビ４Ｂに静止画や動画を再生させる。なお、この場合、携帯端末２で扱う静止画や動画をテレビ４Ｂで再生可能なデータ形式に変換する必要がある。つまり、携帯端末１はワンセグ方式に対応しており、テレビ４Ｂは８セグメント方式に対応しているので、ワンセグ方式から８セグメント方式に変換する必要がある。なお、表示部１０とタッチパネル部１１はＵＩ（User Interface）部を構成する。
【００２９】
なお、制御部１６とＷｉＦｉ送受信部１３は機器検知手段を構成する。また、表示部１０と制御部１６は表示手段を構成する。また、タッチパネル部１１と制御部１６は載置位置検知手段を構成する。また、制御部１６はデータタイプ関連付け手段に対応する。また、ＷｉＦｉ送受信部１３は無線送受信手段に対応する。また、制御部１６とブルートゥース送受信部１４は無線遠隔操作手段を構成する。
【００３０】
このように、携帯端末用制御装置１では、無線ネットワークに接続されている複数の機器デバイス４Ａ〜４Ｄを検知し、検知した複数の機器デバイス４Ａ〜４Ｄのうち、１つの機器デバイスを使用者が選択するための機器デバイス選択メニュー画面を表示部１０に表示する。また、複数の機器デバイス４Ａ〜４Ｄのうち、１つの機器デバイスと接続すべく、使用者が所有する携帯端末２が表示部１０に表示されている機器デバイス選択メニュー画面上のいずれの位置に載置されたかを検知し、この検知結果に応じて選択された１つの機器デバイスと携帯端末２の記憶部２４に記憶されたデータのデータタイプを関連付け、関連付けたデータタイプのデータのうち、１つのデータを使用者が選択するためのデータタイプ選択メニュー画面を表示部１０に表示する。
【００３１】
一方、携帯端末２は、図２に示すように、表示部２０、入力部２１、音声再生部２３、記憶部２４、ＷｉＦｉ送受信部２５、ブルートゥース送受信部２６及び制御部２７を備えている。なお、図２に示す構成は、本発明を説明するために簡略化したものであり、図示は省略するが、通常の携帯端末に搭載される構成要素は備えているものとする。
【００３２】
表示部２０は、制御部２７から入力される表示情報に基づく表示を行う。入力部２１は、使用者が携帯端末２を使用するための操作を行うものであり、使用者操作に応じた信号を制御部２７に入力する。音声再生部２３は、音楽データから音楽を再生し、音声データから音声を再生する。記憶部２４は、データの書き込み及び読み出し可能なメモリを有し、電話帳データ、静止画（写真）データ、動画データ、音楽データ、音声データ等を記憶する。
【００３３】
ＷｉＦｉ送受信部２５は、上述したＷｉＦｉ送受信部１３と同様の機能を有するものであり、ＩＥＥＥ８０２．１１ｂ／ｇプロトコルに準拠した無線ＬＡＮ技術を用いて無線通信を行う。ブルートゥース送受信部２６は、上述したブルートゥース送受信部１４と同様の機能を有するものであり、ＩＥＥＥ８０２．１５．１プロトコルに準拠し、数ｍ程度の短距離無線通信を行う。
【００３４】
制御部２７は、ＣＰＵを含むものであり、装置各部を制御する。例えば、制御部２７は、ブルートゥース送受信部２６を使用して携帯端末用制御装置１との間で短距離無線通信を行い、携帯端末用制御装置１から指示を受ける。また、携帯端末用制御装置１から指示があると、ＷｉＦｉ送受信部２５を使用してＷｉＦｉ無線ルータ３にアクセスし、携帯端末用制御装置１から指定された機器デバイスに対してデータ転送・再生を行う。
【００３５】
ＷｉＦｉ無線ルータ３は、携帯端末用制御装置１と各機器デバイス４Ａ〜４Ｄとの間でデータの仲介を行うとともに、携帯端末２と各機器デバイス４Ａ〜４Ｄとの間でデータの仲介を行う。
【００３６】
各機器デバイス４Ａ〜４Ｄは、携帯端末用制御装置１と無線ＬＡＮ通信を行うための無線ＬＡＮ機能を有しており、この無線ＬＡＮ機能を用いて携帯端末用制御装置１に機器情報等を送信する。機器情報には、機器デバイスそのものを示す情報の他に、機器デバイスが有する機能を示す情報が含まれる。
【００３７】
次に、本実施の形態の携帯端末用制御装置１の機器制御処理について説明する。なお、無線ネットワークには、上述した４台の機器デバイス４Ａ〜４Ｄが接続されているものとする。
【００３８】
図４は、携帯端末用制御装置１の機器制御処理の概要を示すフロー図である。同図において、携帯端末用制御装置１は、例えば電源投入時において無線ネットワークに接続されている複数の機器デバイス４Ａ〜４Ｄを検知する（ステップＳＴ１０）。そして、検知した複数の機器デバイス４Ａ〜４Ｄのうち、１つの機器デバイスを選択するための機器デバイス選択メニュー画面を表示する（ステップＳＴ１１）。次いで、携帯端末用制御装置１上に携帯端末２が置かれたかどうか判定する（ステップＳＴ１２）。この場合、使用者は、機器デバイス選択メニュー画面を見て、該メニュー上の希望する機器デバイスを指し示すエリア上に携帯端末２を置くので、それを検知することで携帯端末２が置かれたかどうかを判定する。
【００３９】
ステップＳＴ１２の判定において、携帯端末２が携帯端末用制御装置１上に置かれていなければ、置かれるまでこのステップＳＴ１２を繰り返し、置かれた場合は置かれた位置を検知し（即ち選択された機器デバイスを検知し）、選択された機器デバイスと関連付ける。即ち、携帯端末用制御装置１は、タッチパネル部１１により、携帯端末２が置かれた位置を検知し、使用者が選択した機器デバイスと関連付ける（ステップＳＴ１３）。例えば、図１に示すように、携帯端末２が機器デバイス選択メニュー画面の「ＨＤレコーダ」と表示されたエリア上に置かれた場合、携帯端末用制御装置１は、「ＨＤレコーダ」と表示されたエリアの位置を検知し、ＨＤレコーダ４Ｃと対応付ける。なお、携帯端末２が置かれたエリアの表示は、携帯端末２が置かれていない他のエリアと反転表示され、選択された機器デバイスが一目で認識できるようになる。
【００４０】
次いで、携帯端末用制御装置１は、ブルートゥース送受信部１４を用いた短距離通信で携帯端末２のリモート制御を開始する（ステップＳＴ１４）。これにより、携帯端末２はＷｉＦｉ無線ルータ３と無線通信を開始し、使用者が選択した機器デバイスと無線接続される。
【００４１】
次いで、携帯端末用制御装置１は、使用者が選択した機器デバイスに関連付けられたデータタイプのデータタイプ選択メニュー画面を表示する（ステップＳＴ１５）。そして、データタイプ選択メニュー画面を表示している状態で、携帯端末２が携帯端末用制御装置１から外されたかどうか判定する（ステップＳＴ１６）。この判定において、携帯端末２が携帯端末用制御装置１から外された場合、ステップＳＴ１１に戻り、機器デバイス選択メニュー画面を表示する。これに対して、携帯端末２が携帯端末用制御装置１から外されていない場合、使用者がデータタイプを選択したかどうか判定し（ステップＳＴ１７）、データタイプが選択されていなければ、選択されるまでこのステップＳＴ１７を繰り返す。
【００４２】
データタイプが選択された場合は、再び携帯端末２が携帯端末用制御装置１から外されたかどうか判定する（ステップＳＴ１８）。この判定において、携帯端末２が携帯端末用制御装置１から外された場合、ステップＳＴ１１に戻り、機器デバイス選択メニュー画面を表示する。これに対して、携帯端末２が携帯端末用制御装置１から外されていない場合は、携帯端末２と選択された機器デバイスとの間でデータ転送・再生を行う（ステップＳＴ１９）。
【００４３】
次いで、再び携帯端末２が携帯端末用制御装置１から外されたかどうか判定し（ステップＳＴ２０）、携帯端末２が携帯端末用制御装置１から外された場合はステップＳＴ１１に戻り、機器デバイス選択メニュー画面を表示する。これに対して、携帯端末２が携帯端末用制御装置１から外されていない場合は終了メニューが選択されたかどうか判定し（ステップＳＴ２１）、終了メニューが選択されていなければ、ステップＳＴ１５に戻り、データタイプのデータタイプ選択メニュー画面を表示する。これに対して、終了メニューが選択された場合は、本処理を終える。
【００４４】
次に、機器制御処理の具体例について、スピーカ４Ａを選択して音楽を再生する場合と、パーソナルコンピュータ４Ｄを選択して電話帳データを転送する場合を例に挙げて説明する。
【００４５】
（スピーカ４Ａを選択して音楽を再生する場合の処理）
図５はスピーカ４Ａを選択して音楽を再生する場合の機器制御処理を示すフロー図である。また、図６はスピーカ４Ａを選択して音楽を再生する場合の表示の遷移を示す図である。
【００４６】
図５において、携帯端末用制御装置１は、例えば電源投入時において無線ネットワークに接続されている複数の機器デバイス４Ａ〜４Ｄを検知する（ステップＳＴ３０）。次いで、検知した機器デバイス４Ａ〜４Ｄのうち、１つの機器デバイスを選択するための機器デバイス選択メニュー画面を表示する（ステップＳＴ３１、図６（ａ））。次いで、機器デバイス選択メニューのスピーカを指し示すエリア上に携帯端末２が置かれたかどうか判定し（ステップＳＴ３２）、携帯端末２が置かれていなければ、置かれるまでこのステップＳＴ３２を繰り返し、当該エリア上に携帯端末２が置かれた場合（図６（ｂ））、選択されたスピーカ４Ａと関連付ける（ステップＳＴ３３）。
【００４７】
次いで、携帯端末用制御装置１は、ブルートゥース送受信部１４を用いた短距離通信で携帯端末２のリモート制御を開始する（ステップＳＴ３４）。これにより、携帯端末２はＷｉＦｉ無線ルータ３と無線通信を開始し、使用者が選択したスピーカ４Ａと無線接続される。次いで、携帯端末用制御装置１は、使用者が選択したスピーカ４Ａに関連付けられた“音楽再生、録音メッセージ再生、ボイスレコーダ再生（データタイプ）”の選択メニュー画面を表示する（ステップＳＴ３５、図６（ｃ））。そして、データタイプ選択メニュー画面を表示している状態で、携帯端末２が携帯端末用制御装置１から外されたかどうか判定する（ステップＳＴ３６）。この判定において、携帯端末２が携帯端末用制御装置１から外された場合、ステップＳＴ３１に戻り、機器デバイス選択メニュー画面を表示する。これに対して、携帯端末２が携帯端末用制御装置１から外されていない場合、使用者が音楽再生を選択したかどうか判定し（ステップＳＴ３７）、音楽再生が選択されていなければ、選択されるまでこのステップＳＴ３７を繰り返す。
【００４８】
音楽再生が選択された場合（図６（ｄ））は、ブルートゥース送受信部１４を用いた短距離通信により楽曲タイトルリストを表示する（ステップＳＴ３８、図６（ｅ））。楽曲タイトルリストの表示を行った後、再び携帯端末２が携帯端末用制御装置１から外されたかどうか判定する（ステップＳＴ３９）。この判定において、携帯端末２が携帯端末用制御装置１から外された場合、ステップＳＴ３１に戻り、機器デバイス選択メニュー画面を表示する。これに対して、携帯端末２が携帯端末用制御装置１から外されていない場合は、楽曲タイトルリストから楽曲が選択されたかどうか判定する（ステップＳＴ４０）。この判定において、楽曲タイトルリストから楽曲が選択されていなければ、選択されるまでこのステップＳＴ４０の判定を繰り返し、楽曲が選択された場合は該楽曲をスピーカ４Ａで再生する（ステップＳＴ４１、図６（ｆ）〜（ｈ））。
【００４９】
選択された楽曲をスピーカ４Ａで再生を行った後、再び携帯端末２が携帯端末用制御装置１から外されたかどうか判定する（ステップＳＴ４２）。この判定において、携帯端末２が携帯端末用制御装置１から外された場合はステップＳＴ３１に戻り、機器デバイス選択メニュー画面を表示する。これに対して、携帯端末２が携帯端末用制御装置１から外されていない場合は、終了メニューが選択されたかどうか判定し（ステップＳＴ４３）、終了メニュー（この終了メニューは、楽曲タイトルリストの最下位部分にある）が選択されていなければ、ステップＳＴ３８に戻り、楽曲タイトルリストを表示する。これに対して、終了メニューが選択された場合は本処理を終える。なお、ここでは楽曲データ再生のフローについてのみ説明したが、一般のオーディオ機器のように、楽曲データの巻戻し、早送り、頭出しや、スピーカの音量調節等を行えるようにしてもよい。
【００５０】
（パーソナルコンピュータ４Ｄを選択して電話帳データを転送する場合の処理）
図７はパーソナルコンピュータ４Ｄを選択して電話帳データを転送する場合の機器制御処理を示すフロー図である。また、図８はパーソナルコンピュータ４Ｄを選択して電話帳データを転送する場合の表示の遷移を示す図である。
【００５１】
図７において、携帯端末用制御装置１は、例えば電源投入時において無線ネットワークに接続されている複数の機器デバイス４Ａ〜４Ｄを検知する（ステップＳＴ５０）。次いで、検知した機器デバイス４Ａ〜４Ｄのうち、１つの機器デバイスを選択するための機器デバイス選択メニュー画面を表示する（ステップＳＴ５１、図８（ａ））。次いで、機器デバイス選択メニュー画面のパーソナルコンピュータ（ＰＣ）を指し示すエリア上に携帯端末２が置かれたかどうか判定し（ステップＳＴ５２）、当該エリア上に携帯端末２が置かれていなければ、置かれるまでこのステップＳＴ５２を繰り返し、当該エリア上に携帯端末２が置かれた場合（図８（ｂ））、選択されたパーソナルコンピュータ４Ｄと関連付ける（ステップＳＴ５３）。
【００５２】
次いで、携帯端末用制御装置１は、ブルートゥース送受信部１４を用いた短距離通信で携帯端末２のリモート制御を開始する（ステップＳＴ５４）。これにより、携帯端末２はＷｉＦｉ無線ルータ３と無線通信を開始し、使用者が選択したパーソナルコンピュータ４Ｄと無線接続される。次いで、携帯端末用制御装置１は、使用者が選択したパーソナルコンピュータ４Ｄに関連付けられた“電話帳、音楽、画像、動画（データタイプ）”のデータタイプ選択メニュー画面を表示する（ステップＳＴ５５、図８（ｃ））。そして、データタイプ選択メニュー画面を表示している状態で、携帯端末２が携帯端末用制御装置１から外されたかどうか判定する（ステップＳＴ５６）。この判定において、携帯端末２が携帯端末用制御装置１から外された場合、ステップＳＴ５１に戻り、機器デバイス選択メニュー画面を表示する。これに対して、携帯端末２が携帯端末用制御装置１から外されていない場合、使用者が電話帳を選択したかどうか判定し（ステップＳＴ５７）、電話帳が選択されていなければ、選択されるまでこのステップＳＴ５７を繰り返す。
【００５３】
電話帳が選択された場合（図８（ｄ））は、転送方向の選択画面を表示する（ステップＳＴ５８、図８（ｅ））。転送方向の選択画面表示を行った後、再び携帯端末２が携帯端末用制御装置１から外されたかどうか判定する（ステップＳＴ５９）。この判定において、携帯端末２が携帯端末用制御装置１から外された場合、ステップＳＴ５１に戻り、機器デバイス選択メニュー画面を表示する。これに対して、携帯端末２が携帯端末用制御装置１から外されていない場合は電話帳データの転送方向が選択されたかどうか判定する（ステップＳＴ６０）。この判定において、電話帳データの転送方向が選択されていなければ、選択されるまでこのステップＳＴ６０の判定を繰り返し、電話帳データの転送方向が選択された場合は該電話帳データを転送する（ステップＳＴ６１、図８（ｆ）〜（ｈ））。
【００５４】
選択された電話帳データの転送を行った後、再び携帯端末２が携帯端末用制御装置１から外されたかどうか判定する（ステップＳＴ６２）。この判定において、携帯端末２が携帯端末用制御装置１から外された場合はステップＳＴ５１に戻り、機器デバイス選択メニュー画面を表示する。これに対して、携帯端末２が携帯端末用制御装置１から外されていない場合は、終了メニュー（この終了メニューは、電話帳データの転送方向選択画面の最下位部分にある）が選択されたかどうか判定し（ステップＳＴ６３）、終了メニューが選択されていなければ、ステップＳＴ５５に戻り、データタイプのデータタイプ選択メニュー画面を表示する。これに対して、終了メニューが選択された場合は本処理を終える。
【００５５】
このように本実施の形態の携帯端末用制御装置１によれば、無線ネットワークに接続されている複数の機器デバイス４Ａ〜４Ｄを検知して、そのうち１つの機器デバイスを使用者が選択するための機器デバイス選択メニュー画面を表示し、表示した機器デバイス選択メニュー画面上に携帯端末２が載置された場合に、載置された位置を検知し、検知した位置に対応する１つの機器デバイスと携帯端末２の記憶部２４に記憶されたデータのデータタイプを関連付け、関連付けたデータタイプのデータのうち、１つのデータを使用者が選択するためのデータタイプ選択メニュー画面を表示するので、使用者は、携帯端末２を携帯端末用制御装置１の画面上に置くことで、複数の機器デバイス４Ａ〜４Ｄのうち、任意の１つを選択して、その機器デバイスと携帯端末２との間でデータ転送や再生を行うことができる。
【００５６】
（実施の形態２）
図９は、本発明の実施の形態２に係る携帯端末用制御装置の概観を示す斜視図である。また、図１０は本実施の形態の携帯端末用制御装置の概略構成と、携帯端末の概略構成と、本実施の形態の携帯端末用制御装置と無線通信を行うＷｉＦｉ無線ルータと、該ＷｉＦｉ無線ルータと無線通信を行う複数のＷｉＦｉネットワーク機器とを示すブロック図である。なお、図９及び図１０において前述した図１及び図２と共通する部分には同一の符号を付けてその説明を省略する。
【００５７】
図９及び図１０において、本実施の形態の携帯端末用制御装置５０は、自己の識別情報が記憶されたＲＦＩＤタグ（無線通信用タグ）６１を有する携帯端末６０のＲＦＩＤタグ６１に記憶された識別情報を読み取るＲＦＩＤリーダ（無線通信用リーダ）５１を有しており、その他の構成は実施の形態１の携帯端末用制御装置１と同様である。ＲＦＩＤリーダ５１は、携帯端末６０のＲＦＩＤタグ６１に記憶されたＩＤ（識別情報）を読み取ることにより携帯端末６０を認証する。ＩＤは、例えば携帯端末６０の所有者の名前等である。制御部１６は、ＲＦＩＤリーダ５１の認証結果に基づいて携帯端末６０の使用を制限する。
【００５８】
次に、本実施の形態の携帯端末用制御装置５０の機器制御処理の具体例について、パーソナルコンピュータ４Ｄを選択して電話帳データを転送する場合を例に挙げて説明する。
【００５９】
図１１はパーソナルコンピュータ４Ｄを選択して電話帳データを転送する場合の機器制御処理を示すフロー図である。また、図１２はパーソナルコンピュータ４Ｄを選択して電話帳データを転送する場合の表示の遷移を示す図である。
【００６０】
図１１において、携帯端末用制御装置５０は、例えば電源投入時において無線ネットワークに接続されている複数の機器デバイス４Ａ〜４Ｄを検知する（ステップＳＴ７０）。次いで、検知した機器デバイス４Ａ〜４Ｄのうち、１つの機器を選択するための機器デバイス選択メニュー画面を表示する（ステップＳＴ７１、図１２（ａ））。次いで、機器デバイス選択メニューのパーソナルコンピュータ（ＰＣ）を指し示すエリア上に携帯端末６０が置かれたかどうか判定し（ステップＳＴ７２）、当該エリア上に携帯端末６０が置かれていなければ、置かれるまでこのステップＳＴ７２を繰り返し、当該エリア上に携帯端末６０が置かれた場合（図１２（ｂ））は、ＲＦＩＤリーダ５１により携帯端末６０のＲＦＩＤタグ６１のＩＤが認証できたかどうか判定する（ステップＳＴ７３）。この場合、認証できなければ、携帯端末６０の無線ネットワークへの接続を不可にしてステップＳＴ７１に戻る。これに対して、認証できた場合は、携帯端末６０が置かれた位置を検知し、複数のパーソナルコンピュータがある場合、ＨＩＲＯ（人名）のパーソナルコンピュータと関連付ける（ステップＳＴ７４）。この場合、ＨＩＲＯ（人名）のパーソナルコンピュータは、パーソナルコンピュータ４Ｄとする。
【００６１】
次いで、携帯端末用制御装置５０は、ブルートゥース送受信部１４を用いた短距離通信で携帯端末６０のリモート制御を開始する（ステップＳＴ７５）。これにより、携帯端末６０はＷｉＦｉ無線ルータ３と無線通信を開始し、複数のパーソナルコンピュータがある場合、携帯端末６０のＩＤと関連したＨＩＲＯのパーソナルコンピュータ４Ｄと無線接続される。次いで、携帯端末用制御装置５０は、携帯端末６０のＩＤを表示する（ステップＳＴ７６）。そして、ＨＩＲＯのパーソナルコンピュータ４Ｃに関連付けられた“電話帳、音楽、画像、動画（データタイプ）”のデータタイプ選択メニュー画面を表示する（ステップＳＴ７７、図１２（ｃ））。そして、データタイプ選択メニュー画面を表示している状態で、携帯端末６０が携帯端末用制御装置５０から外されたかどうか判定する（ステップＳＴ７８）。この判定において、携帯端末６０が携帯端末用制御装置５０から外された場合、ステップＳＴ７１に戻り、機器デバイス選択メニュー画面を表示する。これに対して、携帯端末６０が携帯端末用制御装置５０から外されていない場合、使用者が電話帳を選択したかどうか判定し（ステップＳＴ７９）、電話帳が選択されていなければ、選択されるまでこのステップＳＴ７９を繰り返す。
【００６２】
電話帳が選択された場合（図１２（ｄ））は、転送方向の選択画面を表示する（ステップＳＴ８０、図１２（ｅ））。転送方向の選択画面表示を行った後、再び携帯端末６０が携帯端末用制御装置５０から外されたかどうか判定する（ステップＳＴ８１）。この判定において、携帯端末６０が携帯端末用制御装置５０から外された場合、ステップＳＴ７１に戻り、機器デバイス選択メニュー画面を表示する。これに対して、携帯端末６０が携帯端末用制御装置５０から外されていない場合は、電話帳データの転送方向が選択されたかどうか判定する（ステップＳＴ８２）。この判定において、電話帳データの転送方向が選択されていなければ、選択されるまでこのステップＳＴ８２の判定を繰り返し、電話帳データの転送方向が選択された場合は該電話帳データを転送する（ステップＳＴ８３、図１２（ｆ）〜（ｈ））。
【００６３】
選択された電話帳データの転送を行った後、再び携帯端末６０が携帯端末用制御装置５０から外されたかどうか判定する（ステップＳＴ８４）。この判定において、携帯端末６０が携帯端末用制御装置５０から外された場合はステップＳＴ７１に戻り、機器デバイス選択メニュー画面を表示する。これに対して、携帯端末６０が携帯端末用制御装置５０から外されていない場合は、終了メニュー（この終了メニューは、電話帳データの転送方向選択画面の最下位部分にある）が選択されたかどうか判定し（ステップＳＴ８５）、終了メニューが選択されていなければ、ステップＳＴ７７に戻り、データタイプのデータタイプ選択メニュー画面を表示する。これに対して、終了メニューが選択された場合は本処理を終える。
【００６４】
このように本実施の形態の携帯端末用制御装置５０によれば、自己のＩＤが記憶されたＲＦＩＤタグ６１を有する携帯端末６０に対して、ＲＦＩＤタグ６１に記憶されたＩＤを読み取ることにより携帯端末６０を認証するＲＦＩＤリーダ５１を備えたので、携帯端末６０の利用を制限することができる。個人の携帯端末のＩＤと個人のパーソナルコンピュータのＩＤを関係付けることにより、複数のパーソナルコンピュータから使用者のパーソナルコンピュータを認識し自動的に選択することができる。なお、ここではパーソナルコンピュータの例を挙げたが、複数のスピーカやＨＤレコーダから使用者専用のスピーカやＨＤレコーダを認識し、自動的に選択することもできる。
【００６５】
（実施の形態３）
図１３は、本発明の実施の形態３に係る携帯端末用制御装置の概略構成と、携帯端末の概略構成と、本実施の形態の携帯端末用制御装置と無線通信を行うＷｉＦｉ無線ルータと、該ＷｉＦｉ無線ルータと無線通信を行う複数のＷｉＦｉネットワーク機器とを示すブロック図である。なお、図１３において前述した図２と共通する部分には同一の符号を付けてその説明を省略する。
【００６６】
前述した実施の形態１及び実施の形態２では、携帯端末２及び６０からデータの転送・再生を行うようにしたが、本実施の形態では、携帯端末８０からのデータを携帯端末用制御装置７０経由で転送・再生を行うようにした。即ち、携帯端末８０からのデータを、携帯端末８０のブルートゥース送受信部２６から携帯端末用制御装置７０のブルートゥース送受信部１４で受けて、ＷｉＦｉ送受信部１３から選択された機器デバイスに転送する。
【００６７】
次に、本実施の形態の携帯端末用制御装置７０の機器制御処理について説明する。なお、無線ネットワークには４台の機器デバイス４Ａ〜４Ｄが接続されているものとする。
【００６８】
図１４は、携帯端末用制御装置７０の機器制御処理の概要を示すフロー図である。同図において、携帯端末用制御装置７０は、例えば電源投入時において無線ネットワークに接続されている複数の機器デバイス４Ａ〜４Ｄを検知する（ステップＳＴ９０）。次いで、検知した複数の機器デバイス４Ａ〜４Ｄのうち、１つの機器デバイスを選択するための機器デバイス選択メニュー画面を表示する（ステップＳＴ９１）。次いで、携帯端末用制御装置７０上に携帯端末８０が置かれたかどうか判定する（ステップＳＴ９２）。この場合、使用者は、機器デバイス選択メニュー画面を見て、該メニュー上の希望する機器デバイスを指し示すエリア上に携帯端末８０を置くので、それを検知することで携帯端末８０が置かれたかどうかを判定する。
【００６９】
ステップＳＴ９２の判定において、携帯端末８０が携帯端末用制御装置７０上に置かれていなければ、置かれるまでこのステップＳＴ９２を繰り返し、置かれた場合は置かれた位置を検知し（即ち選択された機器デバイスを検知し）、選択された機器デバイスと関連付ける。即ち、携帯端末用制御装置７０は、タッチパネル部１１により、携帯端末８０が置かれた位置を検知し、使用者が選択した機器デバイスと関連付ける（ステップＳＴ９３）。
【００７０】
次いで、携帯端末用制御装置７０は、ブルートゥース送受信部１４を用いた短距離通信で携帯端末８０のリモート制御を開始する（ステップＳＴ９４）。これにより、携帯端末８０は携帯端末用制御装置７０経由でＷｉＦｉ無線ルータ３と無線通信を開始し、使用者が選択した機器デバイスと無線接続される。次いで、携帯端末用制御装置７０は、使用者が選択した機器デバイスに関連付けられたデータタイプのデータタイプ選択メニュー画面を表示する（ステップＳＴ９５）。そして、データタイプ選択メニュー画面を表示している状態で、携帯端末８０が携帯端末用制御装置７０から外されたかどうか判定する（ステップＳＴ９６）。この判定において、携帯端末８０が携帯端末用制御装置７０から外された場合、ステップＳＴ９１に戻り、機器デバイス選択メニュー画面を表示する。これに対して、携帯端末８０が携帯端末用制御装置７０から外されていない場合、使用者がデータタイプを選択したかどうか判定し（ステップＳＴ９７）、データタイプが選択されていなければ、選択されるまでこのステップＳＴ９７を繰り返す。
【００７１】
データタイプが選択された場合、再び携帯端末８０が携帯端末用制御装置７０から外されたかどうか判定する（ステップＳＴ９８）。この判定において、携帯端末８０が携帯端末用制御装置７０から外された場合、ステップＳＴ９１に戻り、機器デバイス選択メニュー画面を表示する。これに対して、携帯端末８０が携帯端末用制御装置７０から外されていない場合は、携帯端末用制御装置７０経由で携帯端末８０と機器デバイスとの間でデータ転送・再生を行う（ステップＳＴ９９）。次いで、再び携帯端末８０が携帯端末用制御装置７０から外されたかどうか判定し（ステップＳＴ１００）、携帯端末８０が携帯端末用制御装置７０から外された場合はステップＳＴ９１に戻り、機器デバイス選択メニュー画面を表示する。これに対して、携帯端末８０が携帯端末用制御装置７０から外されていない場合は終了メニューが選択されたかどうか判定し（ステップＳＴ１０１）、終了メニューが選択されていなければ、ステップＳＴ９５に戻り、データタイプのデータタイプ選択メニュー画面を表示する。これに対して、終了メニューが選択された場合は、本処理を終える。
【００７２】
このように本実施の形態の携帯端末用制御装置７０によれば、携帯端末８０からのデータを携帯端末用制御装置７０経由で転送・再生を行うようにしたので、携帯端末からＷｉＦｉ送受信部２５を省くことができ、コストダウンが図れる。
【００７３】
（実施の形態４）
図１５は、本発明の実施の形態４に係る携帯端末用制御装置の概略構成と、携帯端末の概略構成と、本実施の形態の携帯端末用制御装置と無線通信を行うＷｉＦｉ無線ルータと、該ＷｉＦｉ無線ルータと無線通信を行う複数のＷｉＦｉネットワーク機器とを示すブロック図である。なお、図１５において前述した図２と共通する部分には同一の符号を付けてその説明を省略する。
【００７４】
本実施の形態の携帯端末用制御装置９０は、携帯端末１００に非接触で充電できる非接触給電部９１を有している。携帯端末１００は、携帯端末用制御装置９０から非接触で給電を受ける非接触充電部１０１を有している。非接触給電には、例えば、１次コイルと２次コイルを磁気的に結合し、１次コイルから発生する交流磁場で２次コイルに電圧を発生させる磁気誘導方式などが用いられる。携帯端末用制御装置９０は、電灯線１１０からの商用電源から自己で使用可能な直流電源を得るための電源回路部９２を有している。
【００７５】
このように本実施の形態の携帯端末用制御装置９０によれば、携帯端末１００に非接触で充電できる非接触給電部９１を有するので、携帯端末１００を充電しながら携帯端末１００を利用することができる。
【００７６】
（実施の形態５）
図１６は、本発明の実施の形態５に係る携帯端末用制御装置の概略構成と、携帯端末の概略構成と、本実施の形態の携帯端末用制御装置と電灯線通信を行う複数の機器デバイスとを示すブロック図である。なお、図１６において前述した図２及び図１５と共通する部分には同一の符号を付けてその説明を省略する。
【００７７】
本実施の形態の携帯端末用制御装置１２０は、電灯線１１０からの商用電源から自己で使用可能な直流電源を得るための電源回路部９２と携帯端末１３０に非接触で充電できる非接触給電部９１に加えて、電灯線通信が可能なＰＬＣ（Power Line Communications：電灯線通信）アダプタ１２１を有する。各機器デバイス４Ｅ〜４Ｈは、携帯端末用制御装置１２０と電灯線通信を行うためのＰＬＣアダプタ４０をそれぞれ有する。ＰＬＣアダプタ４０は、電灯線１１０を通信回線として利用可能にするものであり、電灯線１１０上の各機器デバイス４Ｅ〜４Ｈとの間で数Ｍｂｐｓ〜数百Ｍｂｐｓのデータ通信が可能となる。携帯端末１３０は、携帯端末用制御装置１２０から非接触で給電を受ける非接触充電部１０１を有している。
【００７８】
携帯端末用制御装置１２０は、上述した実施の形態３の携帯端末用制御装置７０と同様に、携帯端末１３０からのデータをブルートゥースにて携帯端末用制御装置１２０経由で転送・再生を行うようにし、各機器デバイス４Ｅ〜４Ｈとの間の通信は電灯線通信により行う。携帯端末１３０は、ブルートゥース送受信部２６にてデータ転送・再生を行うので、ＷｉＦｉ送受信部２５は有していない。
【００７９】
このように本実施の形態の携帯端末用制御装置１２０によれば、各機器デバイスと電灯線通信を行うＰＬＣアダプタ１２１を有するので、電灯線が配線された屋内のどの場所でも携帯端末１３０からのデータを転送・再生することができる。
【００８０】
なお、上記各実施の形態では、各機器デバイスとして、スピーカ、テレビ、ハードディスクレコーダ、パーソナルコンピュータを用いたが、これらの機器デバイスに限定されるものでなく、例えば、ラジオ、オーディオコンポ、プロジェクタ、エアコン、電子レンジなどの機器デバイスを用いることも可能である。
【産業上の利用可能性】
【００８１】
本発明は、携帯端末用制御装置のメニュー画面の所望エリア上に携帯端末を置くだけで、所望の機器（スピーカ、テレビ、ハードディスクレコーダ、パーソナルコンピュータ等）と携帯端末との間でデータの転送・再生ができるといった効果を有し、携帯端末を用いて各種機器を利用する用途への適用が可能である。
【図面の簡単な説明】
【００８２】
【図１】本発明の実施の形態１に係る携帯端末用制御装置の概観を示す斜視図
【図２】本発明の実施の形態１に係る携帯端末用制御装置の概略構成と、携帯端末の概略構成と、前記携帯端末用制御装置と無線通信を行うＷｉＦｉ無線ルータと、該ＷｉＦｉ無線ルータと無線通信を行う複数のＷｉＦｉネットワーク機器とを示すブロック図
【図３】本発明の実施の形態１に係る携帯端末用制御装置における機器デバイスとデータタイプの関連付けを示す図
【図４】本発明の実施の形態１に係る携帯端末用制御装置の機器制御処理の概要を説明するためのフロー図
【図５】本発明の実施の形態１に係る携帯端末の機器制御処理の具体例であるスピーカを選択して音楽を再生する場合の機器制御処理を説明するためのフロー図
【図６】本発明の実施の形態１に係る携帯端末の機器制御処理の具体例であるスピーカを選択して音楽を再生する場合の表示の遷移を示す図
【図７】本発明の実施の形態１に係る携帯端末の機器制御処理の具体例であるパーソナルコンピュータを選択して電話帳データを転送する場合の機器制御処理を説明するためのフロー図
【図８】本発明の実施の形態１に係る携帯端末の機器制御処理の具体例であるパーソナルコンピュータを選択して電話帳データを転送する場合の表示の遷移を示す図
【図９】本発明の実施の形態２に係る携帯端末用制御装置の概観を示す斜視図
【図１０】本発明の実施の形態２に係る携帯端末用制御装置の概略構成と、携帯端末の概略構成と、前記携帯端末用制御装置と無線通信を行うＷｉＦｉ無線ルータと、該ＷｉＦｉ無線ルータと無線通信を行う複数のＷｉＦｉネットワーク機器とを示すブロック図
【図１１】本発明の実施の形態２に係る携帯端末の機器制御処理の具体例であるパーソナルコンピュータを選択して電話帳データを転送する場合の機器制御処理を説明するためのフロー図
【図１２】本発明の実施の形態２に係る携帯端末の機器制御処理の具体例であるパーソナルコンピュータを選択して電話帳データを転送する場合の表示の遷移を示す図
【図１３】本発明の実施の形態３に係る携帯端末用制御装置の概略構成と、携帯端末の概略構成と、前記携帯端末用制御装置と無線通信を行うＷｉＦｉ無線ルータと、該ＷｉＦｉ無線ルータと無線通信を行う複数のＷｉＦｉネットワーク機器とを示すブロック図
【図１４】本発明の実施の形態３に係る携帯端末用制御装置の機器制御処理の概要を説明するためのフロー図
【図１５】本発明の実施の形態４に係る携帯端末用制御装置の概略構成と、携帯端末の概略構成と、前記携帯端末用制御装置と無線通信を行うＷｉＦｉ無線ルータと、該ＷｉＦｉ無線ルータと無線通信を行う複数のＷｉＦｉネットワーク機器とを示すブロック図
【図１６】本発明の実施の形態５に係る携帯端末用制御装置の概略構成と、携帯端末の概略構成と、前記携帯端末用制御装置と電灯線通信を行う複数の機器デバイスとを示すブロック図
【符号の説明】
【００８３】
１、５０、７０、９０、１２０  携帯端末用制御装置
２、６０、８０、１００、１３０  携帯端末
３  ＷｉＦｉ無線ルータ
４Ａ〜４Ｄ  機器デバイス
４Ｅ〜４Ｈ  機器デバイス
１０  表示部
１１  タッチパネル部
１３、２５  ＷｉＦｉ送受信部
１４、２６  ブルートゥース送受信部
１５、２４  記憶部
１６、２７  制御部
２０  表示部
２１  入力部
２３  音声再生部
２４  記憶部
４０  ＰＬＣアダプタ
５１  ＲＦＩＤリーダ
６１  ＲＦＩＤタグ
９１  非接触給電部
９２  電源回路部
１０１  非接触充電部
１１０  電灯線
１２１  ＰＬＣアダプタ
【図１】
0004986766.tif 000002
【図２】
0004986766.tif 000003
【図３】
0004986766.tif 000004
【図４】
0004986766.tif 000005
【図５】
0004986766.tif 000006
【図６】
0004986766.tif 000007
【図７】
0004986766.tif 000008
【図８】
0004986766.tif 000009
【図９】
0004986766.tif 000010
【図１０】
0004986766.tif 000011
【図１１】
0004986766.tif 000012
【図１２】
0004986766.tif 000013
【図１３】
0004986766.tif 000014
【図１４】
0004986766.tif 000015
【図１５】
0004986766.tif 000016
【図１６】
0004986766.tif 000017